(57)【要約】      （修正有）【課題】圧力をリリースする八の字型の運動システムを提供する。【解決手段】支持フレーム３０の両側にも、皆、連動グループ４０を設け、支持フレームが横方向に沿って、八の字型のように揺れているうちに、死点が生じなくて、両側に、動力が作動できるように提供されるので、運転はもっとスムースかつ順調になる。また、支持フレームの両側における連動グループを経由して、支持フレームが移動しているうちに、力を均一に受けるので、ユーザは相当に快適感を得る。【選択図】図２
0003129849.tif 000002
【実用新案登録請求の範囲】
【請求項１】
圧力をリリースする八の字型の運動システムにおいて、主に次の要素から形成され、
運動機構は支持フレーム及び二つの連動グループからなり、二つの連動グループはレバー、クランク及び案内ユニットを含み、クランクの一端に支点４２１があって、別端に回転端があり、回転端はレバーの一端に結合され、レバーの別端は支持フレームに結合さ、案内ユニットは支持フレーム)に設置さ、
駆動システムは動力ソースを含んで、運転ユニットの軸心を駆動し、回転させ、軸心の両端はそれぞれ結合端を形成し、結合端はクランクの支点に結ばれ、
二つの位置決めユニットは運動機構の案内ユニットに接続され、
駆動システムは連動グループのレバーを駆動させ、往復運動を行って支持フレームを作動せしめ、二つの連動グループがそれぞれ支持フレームの両側に配置され、支持フレームは相当にスムースかつ順調のように移動することを特徴とする圧力をリリースする八の字型の運動システム。
【請求項２】
前記案内ユニットはローラーを採用し、位置決めユニットは案内溝を採用し、ローラーの一端は回転自在に支持フレームに設置されることを特徴とする請求項1記載の圧力をリリースする八の字型の運動システム。
【請求項３】
前記案内ユニットはクランクタイプを採用し、位置決めユニットは固定の薄片を採用し、案内ユニットの一端は支持フレームに枢設し、別端を固定の薄片に枢設することを特徴とする請求項1記載の圧力をリリース)する八の字型の運動システム。
【請求項４】
前記位置決めユニットの固定の薄片はL形状になることを特徴とする請求項3記載の圧力をリリースする八の字型の運動システム。
【請求項５】
前記軸心の結合端は多角形になり、クランクの支点も多角形の結合孔の態様になり、それで、軸心はクランクを回すように作動することを特徴とする請求項１、２、3のいずれかに記載の圧力をリリースする八の字型の運動システム。
【請求項６】
前記クランクの回転端は凸円柱状を採用し、レバーの円孔に通過して設けることを特徴とする請求項１、２、3のいずれかに記載の圧力をリリースする八の字型の運動システム。
【請求項７】
前記案内ユニットの両端は皆同じ態様の第一枢設回転端、第二枢設回転端を採用することを特徴とする請求項3記載の圧力をリリースする八の字型の運動システム。
【請求項８】
前記第一枢設回転端は枢設回転自在の方式で、支持フレームに結ばれ、第二枢設回転端も枢設回転自在の方式で、位置決めユニットに結ばれることを特徴とする請求項7記載の圧力をリリースする八の字型の運動システム。
【請求項９】
前記支持フレームはUの逆様な形状になって、受け端及び二つの固定端を形成することを特徴とする請求項1記載の圧力をリリースする八の字型の運動システム。
【請求項１０】
前記運動システムには、ベースがあり、駆動システムはベースに取り付けられることを特徴とする請求項1記載の圧力をリリースする八の字型の運動システム。
【考案の詳細な説明】
【技術分野】
【０００１】
本案は、主に、圧力をリリース（release)する運動システムを掲示し、特に、圧力をリリースする八の字型の運動システムと言うものを指す。
【背景技術】
【０００２】
従来の技術としては、例えば、わが国の特許公告NO476285“腿部の運動器材の追加一”を御参照されたい。それも本案の提案者の創作である。その結構は次の要素から形成される。
本体１０の中に空間１１を持つ。
駆動システム２０は本体１０の空間１１に配置され、駆動装置２１、回転ユニット２２、連動レバー２３、案内ユニット２４、案内フレーム２５を含む。駆動装置２１は回転ユニット２２の中心２２１を駆動し、回転させる。連動レバー２３の第一端２３１は回転ユニット２２の予定位置に枢設されるが、連動レバー２３の第二端２３２は案内ユニット２４に枢設又は接続される。
小腿の支持フレーム３０は連動ユニット５１に締め付けられる。
【特許文献１】特許公告NO476285
【考案の開示】
【考案が解決しようとする課題】
【０００３】
しかし、従来から、既知の駆動システム２０はシングル  グループだけがある。駆動装置２１が連動レバー２３を作動し、小腿の支持フレーム３０を横方向に沿って、八字型の類似の往復運動をさせているうちに、小腿の支持フレーム３０はいつも不平穏の現象がある。そして、快適かつ順調の要求に満足できなかった。ひどいのになると、シングル  グループの設計ならば、回転ユニット２２と連動レバー２３とのマッチ(match)には、いつも死点を招くので、運転しているうちに、偶に止めれば、ユーザにとって、不適の感じだと言える。止めると、力が均衡できず、運動器材の果たしたい効果を遂げなかった。
【課題を解決するための手段】
【０００４】
従来から、既知の様々な欠陥を考えると、本案の提案者は絶えず進歩を求める念を入れて、運転順調かつ動作スムース（smooth)、死点のない設計を研究、開発し、ユーザが確実に、本案の提供する快適感を感じ、確かに圧力をリリースすると言うことに期待してある。
【０００５】
要するに、本案により、圧力をリリースする八の字型の運動システムの解決したい技術問題は既知の固定台座とスリーブとの緊密嵌合、高精度の要求、高加工コストなど欠点であり、それらを改良しなければならない。
【０００６】
以上の目的を達成するために、本案により、圧力をリリースする八の字型の運動システムは、次の要素から形成される。
固定台座に、固定端及び結合端がある。結合端に受け部を設ける。受け部に結合孔を配置する。
スリーブは主体を設けて、受け端が延伸され形成される。受け端に受け孔がある。主体の軸方向に貫通孔は形成される。受け端は固定台座の受け部に設けられる。
結合ユニットは固定台座の結合孔とスリーブの受け孔を貫通して、両者を結合して固定する。
パイプは回転しないように、スリーブの貫通孔を通過する。
回転軸は枢設回転端及び固定端を含む。枢設回転端は枢設回転、活動自在に、パイプに設けられる。
【考案の効果】
【０００７】
以上の内容をまとめると、本案は次の利点がある。
本案により、圧力をリリースする八の字型の運動システムならば、支持フレームの両側に、皆、動力がある。作動の高い安定レベルを提供する。支持フレームが均一の力を受けるので、震動せず、平穏かつ快適に運転でき、ユーザは相当に快適感を得る。
本案により、圧力をリリースする八の字型の運動システムならば、支持フレームの両側にも、皆、連動グループを設ける。支持フレーム)が横方向に沿って、八の字型のように揺れているうちに、死点が生じない。
【考案を実施するための最良の形態】
【０００８】
本案の目的、利点、採用される技術手段及び新規特性などを理解させるために、以下、さらに具体的な実施例に図面をあわせて詳しく説明する。
【０００９】
まず、図１、図２を参照されたい。それらは本案により、圧力をリリースする八の字型の運動システムの立体外観図及び立体分解図である。本案はベース１がある。ベース１は一つの駆動システム２、一つの運動機構３、二つの位置決めユニット４など要素からなる。駆動装置２は動力ソース１０を含んで、運転ユニット２０の軸心２１を回転させるように駆動する。軸心２１は運転ユニット２０を通過する。軸心２１の両端はそれぞれ結合端２２を形成する。結合端２２は多角形になる。
【００１０】
運動機構３は支持フレーム３０及び二つの連動グループ４０を含む。支持フレーム３０はUの逆様な字型になって、受け端３１及び二つの固定端３２を形成する。二つの連動グループ４０はそれぞれ支持フレーム３０の両側に設置され、固定端３２に締め付けられる。また、二つの連動グループ４０はレバー)４１、クランク４２及び案内ユニット４３を含む。レバー４１の一端はクランク４２に接続されるが、もう一端は支持フレーム３０の固定端３２に締め付けられる。クランク４２の一端に支点４２１があって、多角形の結合孔のような態様を採用する。それを軸心２１の結合端２２に嵌めると、軸心２１はクランク４２を回転させるように作動する。クランク４２の別端に、回転端４２２がある。それは凸円柱状を採用し、レバー４１の円孔４１１に貫通する。
【００１１】
支持フレーム３０の両端における固定端３２は皆、案内ユニット４３を設置する。案内ユニット４３は回転自在のように、固定端３２に結合される。本実施例ならば、案内ユニット４３はローラーを採用し、おりよく、案内溝の位置決めユニット４に転んでいるように動ける。
【００１２】
図３〜図５を参照されたい。それは本案により、第一実施例の動作図である。駆動システム２を作動すると、軸心２１（図示せず）が回転するので、クランク４２は支点４２１及び結合端２２を円心として、自身の回転端４２２が３６０度回転の方式で、回転のパスを形成し、前掲の支点４２１を回すように、円周回転を行う。レバー４１の一端の円孔４１１をクランク４２の回転端４２２にはめると、支持フレーム３０の固定端３２に締め付けられるレバー４１は案内ユニット４３を経由して、案内溝のような位置決めユニット４の中で往復の直線運動をしてある。結局、支持フレーム３０は横方向に沿って、八の字型のように移動してある。
【００１３】
図３に示すように、クランク４２の回転端４２２が第一位置に入るときに、レバー４１が案内ユニット４３を作動させる箇所は位置決めユニット４の第一端である。そのときに、支持フレーム３０の受け端３１は水平状となる。
【００１４】
図４に示すように、クランク４２は支点４２１を円心として、９０度まで回転する。クランク４２の回転端４２２は第二位置に入って、つまり回転端４２２はおりよく回転パスの最下端になる。レバー４１が案内ユニット４３を作動させる箇所は位置決めユニット４の中段である。そのときに、レバー４１はクランク４２に締め付けられる一端が下へ移動している。それで、支持フレーム３０の受け端３１は右から、左まで向かってある角度へ傾斜してある。
【００１５】
図５に示すように、クランク４２の回転端４２２が第三位置に入るときに、レバー４１が案内ユニット４３を作動させる箇所は位置決めユニット４の第二端である。そのときに、支持フレーム３０の受け端３１は水平状となる。
【００１６】
図６に示すように、クランク４２の回転端４２２は第四位置に入って、つまり、回転端４２２はおりよく、回転パスの最上端になる。レバー４１が案内ユニット４３を作動させる箇所は位置決めユニット４の中段である。そのときに、レバー４１はクランク４２に締め付けられる一端が上げられている。それで、支持フレーム３０の受け端３１は左から、右まで向かって、ある角度へ傾斜してある。レバー４１は案内ユニット４３を経由して、往復の直線運動をしてある。結局、支持フレーム３０の行進パスは横方向に沿って、八の字型のように移動してある。
【００１７】
支持フレーム３０の両側に、連動グループ４０がある。支持フレーム３０が横方向に沿って、八の字型のように揺れているうちに、死点が生じなくて、両側に、動力が作動できるように提供されるので、運転はもっとスムースかつ順調になる。
【００１８】
図７、図８を御参照して下さい。それらは本案により、第二実施例の立体外観図及び立体分解図である。本例ならば、主要のコンポーネントは第一実施例と同じだが、連動グループ４０の案内ユニット４３′がクランクタイプを採用する。その位置決めユニット４′はL形状の固定薄片を採用する。案内ユニット４３′の両端は同じの態様の第一枢設回転端４３１′及び第二枢設回転端４３２′を使う。第一枢設回転端４３１′は枢設回転自在のように、支持フレーム３０の固定端３２に結ぶ。第二枢設回転端４３２′は枢設回転自在のように、位置決めユニット４′に結ぶ。
【００１９】
図9〜図12を参照されたい。それは本案により、第二実施例の動作図である。駆動システム２を作動すると、軸心２１（図示せず）が回転するので、クランク４２は支点４２１及び結合端２２を円心として、自身の回転端４２２が３６０度回転の方式で、回転のパスを形成し、前掲の支点４２１を回すように、円周回転を行う。そのときに、レバー４１の一端の円孔４１１をクランク４２の回転端４２２にはめると、支持フレーム３０の固定端３２に締め付けられるレバー４１はクランクタイプの案内ユニット)の枢設回転で、往復のようにを移動してある。結局、レバー４２は案内ユニット４３′の第二枢設回転端４３２′を作動させ、位置決めユニット４′を支点として、活動自在のように揺れる。第一枢設回転端４３１′は支持フレーム３０を作動し、横方向に沿って、八の字型のように移動してある。
【００２０】
図9に示すように、クランク４２の回転端４２２が第一位置に入るときに、レバー４１が案内ユニット４３′の第一枢設回転端４３１′を作動させ、左へ向かって、活動自在に揺れる。そのときに、支持フレーム３０の受け端３１は水平状となる。
【００２１】
図10に示すように、クランク４２は支点４２１を円心として、９０度まで回転する。クランク４２の回転端４２２は第二位置に入って、つまり、回転端４２２はほぼ、回転パスの最下端になる。レバー４１が案内ユニット４３を作動させ、位置決めユニット４′と平行してある。そのときに、レバー４１はクランク４２に締め付けられる一端が下へ移動している。それで、支持フレーム３０の受け端３１は右から、左まで向かって、ある角度へ傾斜してある。
【００２２】
図11に示すように、クランク４２の回転端４２２が第三位置に入るときに、レバー４１が案内ユニット４３′を作動させ、右へ向かって、活動自在に揺れてある。そのときに、支持フレーム３０の受け端３１は水平状となる。
【００２３】
図12に示すように、クランク４２の回転端４２２は第四位置に入って、つまり、回転端４２２はほぼ、回転パスの最上端になる。レバー４１が案内ユニット)４３′を作動させ、位置決めユニット４′と平行してある。そのときに、レバー)４１はクランク４２に締め付けられる一端が上げられている。それで、支持フレーム３０の受け端３１は左から右まで向かって、ある角度へ傾斜してある。レバー４１は案内ユニット４３′を経由して、往復の直線運動をしてある。結局、支持フレーム３０の行進パスは横方向に沿って、八の字型のように移動してある。
【００２４】
本案により、支持フレームの両側に連動グループがある。支持フレームが横方向に沿って、八の字型のように揺れているうちに、死点が生じなくて、両側に、動力が作動できるように提供されるので、運転はもっとスムースかつ順調になる。また、支持フレームの両側における連動グループを経由して、支持フレーム)が移動しているうちに、力を均一に受けるので、ユーザは相当に快適感を得る。
【００２５】
前掲の内容を調べて見ると、本案は極めて、産業の利用価値を持つ。同じ又は類似の国内外文献にも見えなくて、公開的にも、使用しなくて、特許法の積極、消極の規定要件にぴったり合う。
【００２６】
しかしながら、以上は本案の理想的な実施例だけで、本案の範囲を制限しない。数値の変更や同等のコンポーネント（component）の変更やいずれの変更、修飾をしても、皆本案の請求範囲に含まれる。
【図面の簡単な説明】
【００２７】
【図１】本案の第一実施例の立体外観図である。
【図２】本案の第一実施例の立体分解図である。
【図３】本案の第一実施例の動作図であり、水平状の支持フレームを示す。
【図４】本案の第一実施例の動作図であり、傾斜状の支持フレームを示す。
【図５】本案の第一実施例の動作図であり、水平状の支持フレームを示す。
【図６】本案の第一実施例の動作図であり、傾斜状の支持フレームを示す。
【図７】本案により、第二実施例の立体外観図である。
【図８】本案により、第二実施例の立体分解図である。
【図９】本案の第二実施例の動作図であり、水平状の支持フレームを示す。
【図１０】本案の第二実施例の動作図であり、傾斜状の支持フレームを示す。
【図１１】本案の第二実施例の動作図であり、水平状の支持フレームを示す。
【図１２】本案の第二実施例の動作図であり、傾斜状の支持フレームを示す。
【符号の説明】
【００２８】
１    ベース（base）
２    駆動システム（system)
３    運動機構
４    位置決めユニット（unit)  
１０  動力ソース（sauce)
２０  運転ユニット（unit)
２１  軸心
２２  結合端
３０  支持フレーム（frame)
３１  受け端
３２  固定端
４０  連動グループ（group)
４１  レバー（lever)
４１１  円孔
４２  クランク（crank）
４２１    支点
４２２    回転端
４３    案内ユニット（unit)
４′    位置決めユニット（unit)
４３′  案内ユニット（unit)
４３１′  第一枢設回転端
４３２′  第二枢設回転端
【図１】
0003129849.tif 000003
【図２】
0003129849.tif 000004
【図３】
0003129849.tif 000005
【図４】
0003129849.tif 000006
【図５】
0003129849.tif 000007
【図６】
0003129849.tif 000008
【図７】
0003129849.tif 000009
【図８】
0003129849.tif 000010
【図９】
0003129849.tif 000011
【図１０】
0003129849.tif 000012
【図１１】
0003129849.tif 000013
【図１２】
0003129849.tif 000014